(57)【要約】【課題】組み立て、折り畳みが容易なゴミ袋集積ステーションを提供する。【解決手段】ゴミ袋集積ステーション１は、矩形状の枠体にネット１５を張設して形成された背面ネット部材１０と、前記背面ネット部材１０の左右両側に設けられ、下方に向かって円弧状に湾曲した湾曲棒２１と水平棒２２とをそれぞれの一端部２１ａ、２２ａを接続して形成された枠体にネット２５を張設して形成された一対の側面ネット部材２０と、矩形状の枠体を構成する上の横棒１２にネット３５の上端を着設して、ゴミ袋集積空間をネット３５で被覆形成する上面ネット部材３０と、側面ネット部材２０の下部を連結固定する固定部材４０とを備え、側面ネット部材２０は背面ネット部材１０の枠体を構成する左右の縦棒１２それぞれに湾曲棒２１の他端部２１ｂ及び水平棒の他端部２２ｂがヒンジ機構により水平方向に回動自在に連結した。【選択図】図１
0003174792.tif 000002
【実用新案登録請求の範囲】
【請求項１】
ネットを張設してゴミ袋集積空間を形成するゴミ袋集積ステーションであって、
矩形状の背面ネット部材用枠体にネットを張設して形成された背面ネット部材と、
前記背面ネット部材の左右両側に設けられ、下方に向かって円弧状に湾曲した湾曲棒と、水平棒とをそれぞれの一端部を接続して形成された側面ネット部材用枠体にネットを張設して形成された一対の側面ネット部材と、
前記矩形状の背面ネット部材用枠体を構成する上の横棒にネットの上端を着設して、前記ゴミ袋集積空間を該ネットで被覆形成する上面ネット部材と、
前記湾曲棒の下部を連結固定する固定部材と、を備え、
前記側面ネット部材は、前記背面ネット部材の枠体を構成する左右の縦棒それぞれに前記湾曲棒の他端部及び前記水平棒の他端部がヒンジ機構により水平方向に回動自在に連結されていることを特徴とするゴミ袋集積ステーション。
【請求項２】
前記固定部材は、前記湾曲棒に対して水平方向に摺動自在の係止金具を両端に備えた固定棒である請求項１に記載のゴミ袋集積ステーション。
【請求項３】
前記固定部材は、前記一対の側面ネット部材それぞれの下部上下２箇所にそれぞれ固定棒を接続し、且つ、該固定棒間にネットを張設することにより、正面ネット部材を形成した請求項１に記載のゴミ袋集積ステーション。
【考案の詳細な説明】
【技術分野】
【０００１】
本考案は、ゴミ袋集積ステーションに関する。更に詳しくは、本考案は、扁平状に折り畳み可能なゴミ袋集積ステーションに関する。
【背景技術】
【０００２】
従来、ゴミ袋集積ステーションは、通常、町内の自治会単位等において設置され、所定の収集日に各家庭からゴミの入った袋が運び込まれて集積される。
ここで、例えば、特許文献１に示すゴミ袋集積箱が提案されている。このゴミ袋集積箱は、複数枚の網状板によって立方体に形成したゴミ袋収納箱の、前面或いは側面に、開閉自在な扉板を取り付けると共に、上面に雨よけの屋根を、下方に脚を取り付け、ゴミ袋収納箱を地面から一定の高さに保って形成されている。
【先行技術文献】
【特許文献】
【０００３】
【特許文献１】実登２５０９８２２号公報
【考案の概要】
【考案が解決しようとする課題】
【０００４】
しかし、ゴミ袋集積箱は、道路際に設置されることが多く、常設的に設置してしまうと、ゴミ収集日以外等の不使用時にあっては、無用のものとなり、通行の妨げとなるおそれがある。
本考案は、前記課題を解決するものであって、ゴミ収集日など必要時にのみ設置でき、不使用時には扁平状に折畳んで設置空間を狭くすることができると共に、組み立て、折り畳みが容易なゴミ袋集積ステーションを提供することを目的とする。
【課題を解決するための手段】
【０００５】
本考案は、以下の通りである。
１．ネットを張設してゴミ袋集積空間を形成するゴミ袋集積ステーションであって、
矩形状の背面ネット部材用枠体にネットを張設して形成された背面ネット部材と、
前記背面ネット部材の左右両側に設けられ、下方に向かって円弧状に湾曲した湾曲棒と、水平棒とをそれぞれの一端部を接続して形成された側面ネット部材用枠体にネットを張設して形成された一対の側面ネット部材と、
前記矩形状の背面ネット部材用枠体を構成する上の横棒にネットの上端を着設して、前記ゴミ袋集積空間を該ネットで被覆形成する上面ネット部材と、
前記湾曲棒の下部を連結固定する固定部材と、を備え、
前記側面ネット部材は、前記背面ネット部材の枠体を構成する左右の縦棒それぞれに前記湾曲棒の他端部及び前記水平棒の他端部がヒンジ機構により水平方向に回動自在に連結されていることを特徴とするゴミ袋集積ステーション。
２．前記固定部材は、前記湾曲棒に対して水平方向に摺動自在の係止金具を両端に備えた固定棒である１．に記載のゴミ袋集積ステーション。
３．前記固定部材は、前記一対の側面ネット部材それぞれの下部上下２箇所にそれぞれ固定棒を接続し、且つ、該固定棒間にネットを張設することにより、正面ネット部材を形成した１．に記載のゴミ袋集積ステーション。
【考案の効果】
【０００６】
本考案のゴミ袋集積ステーションは、背面ネット部材と一対の側面ネット部材と上面ネット部材とを備え、側面部材が、背面ネット部材の枠体を構成する左右の縦棒それぞれにヒンジ機構により水平方向に回動自在に連結されており、前記側面ネット部材の下部を連結固定する固定部材を備えているため、不使用時には扁平状に折畳んで設置空間を狭くすることができると共に、組み立て、折り畳みが容易である。
更に、固定部材が、下端棒に対して水平方向に摺動自在の係止金具を両端に備えた固定棒である場合には、固定棒を取り付けたまま、一対の側面部材を同一方向へ回動させることによって、折り畳みできるため、一層組み立て、折り畳みが容易である。
また、固定部材が、一対の側面ネット部材それぞれの下部上下２箇所にそれぞれ固定棒を接続し、且つ、該固定棒間にネットを張設することにより、正面ネット部材を形成している場合には、ゴミ袋集積ステーション全体として更に強度的に安定すると共に、前面の下端までネットで塞ぐことができる。
【図面の簡単な説明】
【０００７】
【図１】本考案の実施例に係るゴミ袋集積ステーションの斜視図である。
【図２】本考案の実施例に係るゴミ袋集積ステーションを折り畳んだ形態を示す正面図である。
【図３】本考案の実施例に係るゴミ袋集積ステーション他の折り畳んだ形態を示す正面図である。
【図４】本考案の実施例に係るヒンジ構造を示す斜視図である。
【図５】本考案の実施例に係る係止金具の取付構造を示す斜視図である。
【図６】本考案の他の実施例に係るゴミ袋集積ステーションにおいて、固定部材が正面ネット部材を形成している場合を示す斜視図である。
【考案を実施するための形態】
【０００８】
以下、本考案の実施形態を示す図１〜図６を参照しながら本考案を詳しく説明する。
尚、本考案は、かかる図に記載された具体例に示すものに限られず、目的、用途に応じて種々変更したものとすることができる。
[実施例１]
実施例１に係るゴミ袋集積ステーション１は、本考案を具体化している。
ゴミ袋集積ステーション１は、図１に示すように、ネットを張設してゴミ袋集積空間を形成するゴミ袋集積ステーションであって、矩形状の背面ネット部材用枠体にネット１５を張設して形成された背面ネット部材１０と、背面ネット部材１０の左右両側に設けられ、下方に向かって円弧状に湾曲した湾曲棒２１と水平棒２２とをそれぞれの一端部２１ａ、２２ａを接続して形成された側面ネット部材用枠体にネット２５を張設して形成された一対の側面ネット部材２０と、矩形状の背面ネット部材用枠体を構成する上の横棒１２にネット３５の上端を着設して、ゴミ袋集積空間をネット３５で被覆形成する上面ネット部材３０と、側面ネット部材２０の下部を連結固定する固定部材４０と、を備え、側面ネット部材２０は、背面ネット部材１０の枠体を構成する左右の縦棒１１それぞれに湾曲棒２１の他端部２１ｂ及び水平棒の他端部２２ｂがヒンジ機構により水平方向に回動自在に連結されている。
【０００９】
側面ネット部材２０は、図４に示すように、背面ネット部材１０の枠体を構成する縦棒１１に水平棒２２の他端部２２ｂがジョイント７０の横孔７０ｂに固着されており、ジョイント７０の縦孔７０ａの内面が縦棒１１に対して摺動して回動自在となり、ヒンジ機構を構成している。なお、縦棒１１、横棒１２は、その端部がジョイント６０に固着されている。同様に、湾曲棒２１の他端部２１ｂも縦棒１１に対して摺動して回動自在となり、ヒンジ機構を構成している。
【００１０】
図２に示すように、ゴミ袋集積ステーション１は、前記ヒンジ機構により、側面ネット部材２０を背面ネット部材１０に重ね合わせるように折り畳んで扁平状に収納しておくことができる。
組み立てに際しては、まず、側面ネット部材２０を、矢印に示す方向に、背面ネット部材１０に対して直角に広げる。次に、固定部材としての固定棒４０をその両端に備えた係止金具４１を湾曲棒２１の下部にはめ込むことによって、側面ネット部材２０を固定する。そして、上面ネット部材３０を降ろす。次いで、上面ネット部材３０の下端に備えた下端棒３７を、例えば面ファスナー８０によって上面ネット部材３０の下部に表面から係止することにより組み立てが完了する。
ゴミ袋集積ステーション１にゴミ袋を投入するには、下端棒３７を持ち上げ、その下方より投入する。
【００１１】
図１に示すように、上面ネット部材３０は、中段にネット３５に着設した押さえ棒３６を備えていることが好ましい。こうすることで、上面ネット部材３０をより安定させることができる。
【００１２】
係止金具４１は、図５（ａ）に示す係止金具４１のように、固定部４１ａと係止環４１ｂを備えており、湾曲棒２１に係止環４１ｂ押し込むことによって、図５（ｂ）に示すように係止することができる。
こうであれば、湾曲棒２１に対して係止環４１ｂが水平方向に摺動自在であるため図３に示すように、固定棒４０を取り付けたまま、一対の側面ネット部材２０を同一の方向へ折り畳むことが可能となる。この折り畳み状態も扁平状であり、収納スペースが狭く維持することができる。そして、組み立てに際しても、側面ネット部材２０を、矢印に示す方向に広げれば、後は上面ネット部材３０を装着することにより組み立てが完了するため、より簡便に組み立て、折り畳みをすることができる。
【００１３】
[実施例２]
実施例２に係るゴミ集積ステーション２は、図６に示すように、固定部材として、一対の側面ネット部材２０それぞれの下部の固定部７５上下２箇所にそれぞれ固定棒４２、４３を接続し、且つ、固定棒間にネット４５を張設する。こうすることで、固定部材としての役割を果たすと共に、正面ネット部材を形成することができる。すなわち、ゴミ袋集積ステーション全体として更に強度的に安定すると共に、前面の下端までネットで塞ぐことができる。
ゴミ集積ステーション２の他の構成については、ゴミ集積ステーション１と同様であるため、その説明を省略する。
【符号の説明】
【００１４】
１０・・・背面ネット部材、  １１・・・縦棒、  １２・・・横棒、  ２０・・・側面ネット部材、  ２１・・・湾曲棒、  ２１ａ・・・湾曲棒の一端部、  ２１ｂ・・湾曲棒の他端部、  ２２・・・水平棒、  ２２ａ・・水平棒の一端部、  ２２ｂ・・水平棒の他端部、  ３０・・・上面ネット部材、  ３７・・・下端棒、  ４０・・・固定部材（固定棒）、  ４１・・・係止金具、  １５、２５、３５、４５・・・ネット
【図１】
0003174792.tif 000003
【図２】
0003174792.tif 000004
【図３】
0003174792.tif 000005
【図４】
0003174792.tif 000006
【図５】
0003174792.tif 000007
【図６】
0003174792.tif 000008